(57)【特許請求の範囲】
【請求項１】
ソケットとプラグとを有し、これらソケットとプラグとを互いに接続することにより、流路同士を連通させる管継手であって、
前記ソケット及びプラグのいずれか一方には、これらソケット及びプラグの接続状態を保持するロック機構と、該ロック機構へ洗浄液を供給して洗浄する洗浄機構を有し、
前記ソケットには、前記プラグが嵌合される凹部が形成され、
前記ロック機構は、前記凹部を形成する壁部に、周方向へ間隔をあけて形成された孔部と、該孔部に配設されて一部が前記凹部内へ出没可能とされた施錠ボールと、外周側に設けられて軸方向へのスライドにより、前記施錠ボールを外周側から押圧して前記孔部から凹部内へ突出させ、前記凹部に嵌合された前記プラグの周囲に形成された係合溝へ係合させた状態に維持させるスリーブとを有し、
前記ソケットには、洗浄液を送り出す洗浄液供給源に接続された洗浄液供給チューブが接続され、該洗浄液供給チューブから送り込まれる洗浄液を前記凹部の外周側に形成された空間部へ導く供給路が形成され、
前記凹部を形成する壁部には、前記空間部に送り込まれる洗浄液を前記凹部内へ噴出させる噴出孔が形成されており、
前記凹部には、複数の前記噴出孔が、周方向へ間隔をあけて形成され、これら噴出孔の向きが、前記凹部の周方向から半径方向に同一角度を付けて形成されていることを特徴とする洗浄機能付き管継手。
【請求項２】
噴出孔は、前記ソケットとプラグとを接続することにより連通される流路のシール部よりも外側に形成されていることを特徴とする請求項１記載の洗浄機能付き管継手。
【請求項３】
前記ソケットには、前記供給路を開閉させる開閉弁が設けられていることを特徴とする請求項１または２記載の洗浄機能付き管継手。
【請求項４】
前記洗浄液供給チューブには、この洗浄液供給チューブ内の流路を開閉する開閉弁が設けられていることを特徴とする請求項１〜３のいずれか１項記載の洗浄機能付き管継手。
【発明の詳細な説明】
【０００１  】
【発明の属する技術分野】
この発明は、例えば、半導体高純度薬品や一般化学薬品等の液体を導く流路の接続を行う管継手に係り、特に洗浄機能が設けられた洗浄機能付き管継手に関するものである。
【０００２  】
【従来の技術】
一般に、半導体高純度薬品や一般科学薬品等の液体を導く流路の接続を行う手段として、一方の流路のソケットと他方の流路のプラグとを接続することにより、それぞれの流路を接続して連通させる管継手が用いられている。
この種の管継手としては、ソケットへプラグを差し込んだ状態にて回動させることにより、ソケットとプラグとを接続させた状態に保持する止め金具からなるねじ込み式のロック機構を有するものや、プラグへソケットを差し込むことにより、互いの流路を連通させた状態に保持するワンタッチ式のロック機構を有するものなどが知られている。
【０００３  】
【発明が解決しようとする課題】
ところで、上記のような管継手において、互いの流路を分割する際に、接続部分の液体が残留するが、このように、接続を解除した際に残留した液体の種類によっては、その後、接合部分にかたまりを生じたり、あるいは、粘着してしまうことがあり、このような場合、前述したロック機構の機能に支障を来してしまい、接続不良を生じ、接続の信頼性が低下してしまう恐れがあった。
【０００４  】
この発明は、上記事情に鑑みてなされたもので、接続解除時に残留した液体による接続不良の生じることがない、極めて接続信頼性の高い洗浄機能付き管継手を提供することを目的としている。
【０００５】
【課題を解決するための手段】
上記目的を達成するために、請求項１記載の洗浄機能付き管継手は、ソケットとプラグとを有し、これらソケットとプラグとを互いに接続することにより、流路同士を連通させる管継手であって、前記ソケット及びプラグのいずれか一方には、これらソケット及びプラグの接続状態を保持するロック機構と、該ロック機構へ洗浄液を供給して洗浄する洗浄機構を有し、
前記ソケットには、前記プラグが嵌合される凹部が形成され、
前記ロック機構は、前記凹部を形成する壁部に、周方向へ間隔をあけて形成された孔部と、該孔部に配設されて一部が前記凹部内へ出没可能とされた施錠ボールと、外周側に設けられて軸方向へのスライドにより、前記施錠ボールを外周側から押圧して前記孔部から凹部内へ突出させ、前記凹部に嵌合された前記プラグの周囲に形成された係合溝へ係合させた状態に維持させるスリーブとを有し、
前記ソケットには、洗浄液を送り出す洗浄液供給源に接続された洗浄液供給チューブが接続され、該洗浄液供給チューブから送り込まれる洗浄液を前記凹部の外周側に形成された空間部へ導く供給路が形成され、
前記凹部を形成する壁部には、前記空間部に送り込まれる洗浄液を前記凹部内へ噴出させる噴出孔が形成されており、
前記凹部には、複数の前記噴出孔が、周方向へ間隔をあけて形成され、これら噴出孔の向きが、前記凹部の周方向から半径方向に同一角度を付けて形成されていることを特徴としている。
【０００６  】
このように、ソケットとプラグとの接続状態を保持するロック機構を洗浄する洗浄機構が設けられているので、接続解除時に残留する液体がロック機構に付着したとしても、この付着した液体が固まったりあるいは残留液体の粘性によってロック機構が機能しなくなるような不具合を解消することができる。
これにより、ソケット及びプラグの接続状態をいつでも良好に保つことができ、接続の信頼性を高めることができる。
【０００７】
また、スリーブのスライドによって施錠ボールを凹部の内面側へ出没させることにより、ソケットとプラグとの接続及び解除を行うロック機構が設けられているので、これらソケットとプラグとの接続及び解除をワンタッチにて極めて容易に行うことができ、しかも、この構造のロック機構を洗浄機構によって洗浄することにより、スリーブのスライド、施錠ボールの凹部内への出没を常に良好な状態に維持させることができ、これにより、接続の容易性及び接続の信頼性の両方を高めることができる。
【０００８】
また、洗浄液供給源から送り込まれる洗浄液を空間部に連通する噴出孔から凹部内へ噴出させるので、プラグが嵌合される凹部内及び凹部内へ出没する施錠ボールを確実に洗浄することができ、残留液体による不具合を確実に解消して高い信頼性を確保することができる。
【０００９】
さらに、周方向へ間隔をあけて形成された噴出孔が半径方向に対して同一方向へ角度を付けて形成されているので、噴出孔から凹部内へ噴出される洗浄液を凹部内面に沿って回転させて流すことができ、凹部内面及び凹部内へ出没する施錠ボールをさらに確実に洗浄することができ、残留液体による不具合をさらに確実に解消させて高い信頼性を確保することができる。
【００１０】
請求項２記載の洗浄機能付き管継手は、請求項１記載の洗浄機能付き管継手において、噴出孔が、前記ソケットとプラグとを接続することにより連通される流路のシール部よりも外側に形成されていることを特徴としている。
【００１１】
すなわち、噴出孔が、ソケットとプラグとを接続することにより連通される流路のシール部よりも外側に設けられているので、ソケットとプラグとを接続して互いの流路を連通させて液体を流している際に、洗浄液が供給されて噴出孔から噴出されたとしても、連通された流路内へ洗浄液が入り込むことがなく、したがって、液体へ洗浄液が混入するような不具合を確実に防止することができる。
【００１２】
請求項３記載の洗浄機能付き管継手は、請求項１または２記載の洗浄機能付き管継手において、前記ソケットに、前記供給路を開閉させる開閉弁が設けられていることを特徴としている。
【００１３】
つまり、ソケットに設けられた開閉弁によって供給路の開閉を行うことにより、必要なときに確実に洗浄液をロック機構へ供給して洗浄作業を行うことができる。
【００１４】
請求項４記載の洗浄機能付き管継手は、請求項１〜３のいずれか１項記載の洗浄機能付き管継手において、前記洗浄液供給チューブの洗浄液供給チューブ内の流路を開閉する開閉弁が設けられていることを特徴としている。
【００１５】
このように、洗浄液供給チューブに設けられた開閉弁によって洗浄液供給チューブの流路の開閉を行うことにより、必要なときに確実に洗浄液をロック機構へ供給して洗浄作業を行うことができる。
【００１９  】
【発明の実施の形態】
以下、本発明の洗浄機能付き管継手の実施の形態例を図面を参照して説明する。
図１において、符号２１は洗浄機能付き管継手（以下管継手と称する）である。この管継手２１は、ソケット２２と、このソケット２２が接続されるプラグ２３とから構成されている。
ソケット２２には、その後端部に、管路２が接続されており、また、プラグ２３には、その後端部に、管路３が接続されている。
【００２０  】
次に、管継手２１を構成するソケット２２及びプラグ２３についてそれぞれ詳述する。
まず、ソケット２２が接続されるプラグ２３の構成及び構造を説明する。符号２５は、内部に液体通路２６が形成された主筒体であり、この主筒体２５の内部には、先端部近傍に、Ｏリング２８が取り付けられたバルブ２７が摺動可能に設けられており、このバルブ２７には、Ｏリング２８よりも後端部側に、バルブ２７の内部と外部とに連通する流路３１が形成されている。
【００２１  】
また、バルブ２７の後端部には、スプリング３２が嵌め込まれており、このスプリング３２によって、前記バルブ２７が主筒体２５の先端方向へ付勢され、バルブ２７の先端部近傍に設けられたＯリング２８が、主筒体２５の先端部に形成された開口部２６ａの弁座３３に当接されて液体通路２６が閉鎖されるようになっている。
なお、符号３４は、主筒体２５の液体通路２６に嵌め込まれて前記スプリング３２を係止するストッパである。また、主筒体２５の外周面には、円周方向へ亘って形成された環状の係合溝３５が形成されており、この係合溝３５には、プラグ２３へソケット２２を接続した際に、後述する施錠ボール５９が係合するようになっている。
【００２２  】
次に、上記構造のプラグ２３へ接続されるソケット２２の構成及び構造を説明する。符号４１は、内部に液体通路４２が形成された主筒体であり、この主筒体４１の内部には、バルブ４３が摺動可能に設けられている。
このバルブ４３の先端部には、押圧突起４４が形成されており、この押圧突起４４が、主筒体４１の開口部４２ａから突出されている。
また、バルブ４３の先端部近傍には、Ｏリング４５が取り付けられており、このＯリング４５よりも後端部側には、バルブ４３の内部と外部とに連通する流路４６が形成されている。
【００２３  】
また、バルブ４３の後端部には、スプリング４７が嵌め込まれており、このスプリング４７によって、前記バルブ４３が主筒体４１の先端方向へ付勢され、バルブ４３の先端部近傍に設けられたＯリング４５が、主筒体４１の先端部に形成された開口部４２ａの弁座４８に当接されて液体通路４２が閉鎖されるようになっている。
【００２４  】
さらに、主筒体４１の後端部には、前記管路２が接続された中心に流路５０を有するアダプタ４９が取り付けられており、このアダプタ４９によってスプリング４７が係止されている。
【００２５  】
また、主筒体４１の先端部側には、凹部５１が形成されており、この凹部５１に、前記プラグ２３の主筒体２５が嵌合されるようになっている。この凹部５１の内面側には、Ｏリング５２が嵌め込まれており、凹部５１に前記プラグ２３の主筒体２５を嵌合させた際に、プラグ２３の主筒体２５の外周面へ密着され、凹部５１の内周面とプラグ部２３の主筒体２５の外周面とがシールされるようになっている。
【００２６  】
次に、ソケット２２に設けられたロック機構について説明する。
主筒体４１の外周には、スリーブ５３が摺動可能に設けられており、主筒体４１の先端部に設けられたストップリング５４によって主筒体４１の先端部からのスリーブ５３の脱落が防止されている。このスリーブ５３には、その先端部近傍における内面側に突起部５５が形成されており、この突起部５５と主筒体４１の外周面に設けられた後述するハウジング６１との間には、スプリング５７が設けられている。そして、このスプリング５７によってスリーブ５３が、主筒体４１の先端部方向へ常に付勢されている。
【００２７  】
また、主筒体４１の先端部近傍には、円周方向へ間隔をあけてすり鉢状の孔部５８が形成されており、この孔部５８には、施錠ボール５９がその孔部５８内に収容された状態に設けられている。そして、前記スリーブ５３が主筒体４１の後端部方向へ移動されると、施錠ボール５９が主筒体４１の凹部５１の内面側へ出没可能とされ、スリーブ５３がスプリング５７の付勢力によって先端部側へ移動されると、スリーブ５３の突起部５５によって施錠ボール５９が内面側に押圧されて、その一部が凹部５１から突出された状態に維持されるようになっている。
【００２８  】
また、主筒体４１には、その外周側にハウジング６１が設けられており、その先端部が、前記スリーブ５３の内周側に入り込んみ、このハウジング６１の先端部によって前記スプリング５７が係止されている。
そして、前記スリーブ５３を、軸方向へ摺動させることにより、スリーブ５３の後端部がハウジング６１の外周面に液密的に摺動するようになっている。
【００２９  】
次に、ソケット２２に設けられた洗浄機構について説明する。
主筒体４１には、ハウジング６１によって覆われた部分に、軸方向へ沿って形成された溝部６２と、周方向へ沿って形成された環状溝部６３とを有しており、これら溝部６２及び環状溝部６３とハウジング６１の内周面とによって囲われた部分が、洗浄水連通路（供給路）６４及び洗浄水環状路（供給路）６５とされている。洗浄水連通路６４は、一端が洗浄水環状路６５に連通され、他端が前記スプリング５７が収納されている空間部６６と連通されている。
【００３０  】
また、主筒体４１の凹部５１を形成する壁部５１ａには、前記Ｏリング５２よりも先端側に、前記空間部６６と連通する複数の噴出孔７１が周方向へ間隔をあけて形成されている。これら噴出孔７１は、図２に示すように、それぞれ半径方向に対して同一方向へ角度を付けて、さらに、凹部５１の底部側へ向けて形成されている。
【００３１  】
また、ハウジング６１には、前記洗浄水環状路６５と連通する洗浄水供給路（供給路）７２が形成されており、この洗浄水供給路７２の途中には、回動させることにより、洗浄水供給路７２を開閉させる開閉弁７３が設けられている。また、ハウジング６１の後端部には、洗浄水供給路７２が開口されており、この開口部分には、洗浄水供給チューブ７４が接続されている。この洗浄水供給チューブ７４は、図示しない洗浄水供給源（洗浄液供給源）に接続され、この洗浄水供給源から洗浄水が供給されるようになっており、この洗浄水供給チューブ７４に供給される洗浄水がハウジング６１の洗浄水供給路７２を通り、その後、洗浄水環状路６５、洗浄水連通路６４を介して空間部６６へ送り込まれ、噴出孔７１から凹部５１内へ噴出されるようになっている。
【００３２  】
そして、前記開閉弁７３を回動させて洗浄水供給路７２を閉鎖させることにより、噴出孔７１から凹部５１内への洗浄水の噴出が禁止されるようになっている。
【００３３  】
次に、上記構造の管継手２１を接続する場合について説明する。
なお、互いに接続する前には、開閉弁７３によってソケット２２のハウジング６１の洗浄水供給路７２を閉じておく。
アダプタ４９を介して管路２が接続されたソケット２２を、管路３が接続されたプラグ２３へ接続させる。ここで、ソケット２２をプラグ２３へ接続させる場合、まず、ソケット２２のスリーブ５３を、主筒体４１の後端部側へ、スプリング５７の付勢力に反して移動させ、この状態にて、ソケット２２の凹部５１へプラグ２３の主筒体２５を嵌合させる。
【００３４  】
この状態において、スリーブ５３の移動を解除させると、このスリーブ５３がスプリング５７の付勢力によって主筒体４１の先端部方向へ移動され、スリーブ５３の内面側に形成された突起部５５によって施錠ボール５９が内面側へ押圧され、その一部が凹部５１内へ突出され、プラグ２３の主筒体２５の外周面に形成された係合溝３５へ係合し、これらプラグ２３とソケット２２との確実な接続状態が確保される。このようにすると、ソケット２２のバルブ４３の先端部に形成された押圧突起４４が、プラグ２３のバルブ２７の先端部に当接し、これらバルブ２７、４３同士が、互いに押圧されて、それぞれスプリング３２、４７の付勢力に反して主筒体２５、４１の後端部方向へ移動される。
【００３５  】
これにより、図３に示すように、主筒体２５、４１の開口部２６ａ、４２ａがそれぞれ開口され、主筒体２５、４１のそれぞれの液体通路２６、４２同士が、バルブ２７、４３に形成された流路３１、４６を介して連通した状態となる。
そして、このように、ソケット２２とプラグ２３とを接続させることにより、管路２と管路３とが、ソケット２２及びプラグ２３からなる管継手２１を介して接続され、半導体高純度薬品や一般化学薬品等の液体を相互に流すことができる。
【００３６  】
また、このように接続されたソケット２２とプラグ２３との接続を解除するには、ソケット２２に設けられたスリーブ５３を把持し、このスリーブ５３を、ソケット２２の後端部側へ向かって摺動させる。
【００３７  】
このようにすると、施錠ボール５９の凹部５１内への突出が解除され、この状態にて、ソケット２２とプラグ２３とを引き離すことにより、ソケット２２とプラグ２３との接続が解除される。
また、このとき、ソケット２２及びプラグ２３では、それぞれのバルブ４３、２７が弁座４８、３３に当接し、これらソケット２２及びプラグ２３の液体通路４２、２６が閉鎖される。
【００３８  】
ここで、このように管継手２１のそれぞれのソケット２２及びプラグ２３の接続を解除した際に、流されていた液体が接続箇所から僅かに漏出することがある。
そして、この漏出した液体が、ソケット２２のロック機構に付着すると、液体の種類によっては、液体中の成分が固まったりあるいは液体の粘性によって、ロック機構が良好に作動しなくなる恐れがある。
したがって、次回の接続前に、ロック機構を有するソケット２２にて、ロック機構の洗浄作業を行う。
【００３９  】
次に、この洗浄作業について説明する。
洗浄作業を行う場合、ソケット２２のハウジング６１に設けられた開閉弁７３を回動させて、ハウジング６１の洗浄水供給路７２を連通させる。
このようにすると、洗浄水供給源から洗浄水供給チューブ７４を介して洗浄水が送り込まれ、ハウジング６１の洗浄水供給路７２を通り、さらに、洗浄水環状路６５及び洗浄水連通路６４を介して空間部６６へ送り込まれ、噴出孔７１から凹部５１内へ噴出される。
【００４０  】
ここで、洗浄水が噴出される噴出孔７１は、半径方向に対して同一方向へ角度が付けられているので、各噴出孔７１から噴出された洗浄水は、回転力が与えられ、これにより、凹部５１内にてその内面に沿って同一方向へ回転しながら流れることとなる。そして、この凹部５１内をその内面に沿って回転しながら流れる洗浄水によってロック機構を構成する施錠ボール５９及び孔部５８、さらには、その周辺部分が洗浄され、これら施錠ボール５９、孔部５８及びその周辺に付着していた残留液体が確実に洗い流される。
【００４１  】
このように、上記の洗浄機能付き管継手２１によれば、ソケット２２とプラグ２３との接続状態を保持するロック機構を洗浄する洗浄機構が設けられているので、接続解除時に残留する液体がロック機構に付着したとしても、この付着した液体が固まったりあるいは残留液体の粘性によってロック機構が機能しなくなるような不具合を解消することができる。
これにより、ソケット２２及びプラグ２３の接続状態をいつでも良好に保つことができ、接続の信頼性を高めることができる。
【００４２  】
また、ロック機構は、スリーブ５３のスライドによって施錠ボール５９を凹部５１の内面側へ出没させることにより、ソケット２２とプラグ２３との接続及び解除を行うワンタッチ式であるので、これらソケット２２とプラグ２３との接続及び解除をワンタッチにて極めて容易に行うことができ、しかも、この構造のロック機構を洗浄機構によって洗浄することにより、スリーブ５３のスライド、施錠ボール５９の凹部５１内への出没を常に良好な状態に維持させることができ、これにより、接続の容易性及び接続の信頼性の両方を高めることができる。
【００４３  】
さらには、洗浄水供給源から送り込まれる洗浄水を空間部６６に連通する噴出孔７１から凹部５１内へ噴出させるので、プラグ２３が嵌合される凹部５１内及び凹部５１内へ出没する施錠ボール５９を確実に洗浄することができ、特に、周方向へ間隔をあけて複数形成された噴出孔７１が半径方向に対して同一方向へ角度を付けて形成されているので、噴出孔７１から凹部５１内へ噴出される洗浄水を凹部５１内面に沿って回転させて流すことができ、凹部５１内面及び凹部５１内へ出没する施錠ボール５９をさらに確実に洗浄することができ、残留液体による不具合を確実に解消して高い信頼性を確保することができる。
【００４４  】
また、噴出孔７１が、ソケット２２とプラグ２３とを接続することにより連通される流路のシール部を構成するＯリング５２よりも外側に設けられているので、ソケット２２とプラグ２３とを接続して互いの流路を連通させて液体を流している際に、洗浄水が供給されて噴出孔７１から噴出されたとしても、連通された流路内へ洗浄水が入り込むことがなく、したがって、液体へ洗浄水が混入するような不具合を確実に防止することができる。
【００４５  】
しかも、ソケット２２に設けられた開閉弁７３によって洗浄水供給路７２の開閉を行うことにより、必要なときに確実に洗浄水をロック機構へ供給して洗浄作業を行うことができる。
【００４６  】
図４に示すものは、ハウジング６１の開閉弁７３を省き、洗浄水供給チューブ７４に開閉弁８１を設けた例であり、このように、洗浄水供給チューブ７４側に開閉弁８１を設けることにより、ソケット２２の構造を簡略化することができる。
【００４７  】
そして、この洗浄機能付き管継手２１によれば、洗浄水供給チューブ７４に設けられた開閉弁８１によって洗浄水供給チューブ８１の流路の開閉を行うことにより、必要なときに確実に洗浄水をロック機構へ供給して洗浄作業を行うことができる。
なお、ハウジング６１の開閉弁７３及び洗浄水供給チューブ７４の開閉弁８１の両方を設けても良い。
なおまた、上記の例では、洗浄液として高純水等の洗浄水を用いたが、洗浄液としては、水に限定されることはない。
【００４８  】
【発明の効果】
以上、説明したように、本発明の洗浄機能付き管継手によれば、下記の効果を得ることができる。
請求項１記載の洗浄機能付き管継手によれば、ソケットとプラグとの接続状態を保持するロック機構を洗浄する洗浄機構が設けられているので、接続解除時に残留する液体がロック機構に付着したとしても、この付着した液体が固まったりあるいは残留液体の粘性によってロック機構が機能しなくなるような不具合を解消することができる。
これにより、ソケット及びプラグの接続状態をいつでも良好に保つことができ、接続の信頼性を高めることができる。
【００４９  】
請求項２記載の洗浄機能付き管継手によれば、スリーブのスライドによって施錠ボールを凹部の内面側へ出没させることにより、ソケットとプラグとの接続及び解除を行うロック機構が設けられているので、これらソケットとプラグとの接続及び解除をワンタッチにて極めて容易に行うことができ、しかも、この構造のロック機構を洗浄機構によって洗浄することにより、スリーブのスライド、施錠ボールの凹部内への出没を常に良好な状態に維持させることができ、これにより、接続の容易性及び接続の信頼性の両方を高めることができる。
【００５０  】
請求項３記載の洗浄機能付き管継手によれば、洗浄液供給源から送り込まれる洗浄液を空間部に連通する噴出孔から凹部内へ噴出させるので、プラグが嵌合される凹部内及び凹部内へ出没する施錠ボールを確実に洗浄することができ、残留液体による不具合を確実に解消して高い信頼性を確保することができる。
【００５１  】
請求項４記載の洗浄機能付き管継手によれば、周方向へ間隔をあけて形成された噴出孔が半径方向に対して同一方向へ角度を付けて形成されているので、噴出孔から凹部内へ噴出される洗浄液を凹部内面に沿って回転させて流すことができ、凹部内面及び凹部内へ出没する施錠ボールをさらに確実に洗浄することができ、残留液体による不具合をさらに確実に解消させて高い信頼性を確保することができる。
【００５２  】
請求項５記載の洗浄機能付き管継手によれば、噴出孔が、ソケットとプラグとを接続することにより連通される流路のシール部よりも外側に設けられているので、ソケットとプラグとを接続して互いの流路を連通させて液体を流している際に、洗浄液が供給されて噴出孔から噴出されたとしても、連通された流路内へ洗浄液が入り込むことがなく、したがって、液体へ洗浄液が混入するような不具合を確実に防止することができる。
【００５３  】
請求項６記載の洗浄機能付き管継手によれば、ソケットに設けられた開閉弁によって供給路の開閉を行うことにより、必要なときに確実に洗浄液をロック機構へ供給して洗浄作業を行うことができる。
【００５４  】
請求項７記載の洗浄機能付き管継手によれば、洗浄液供給チューブに設けられた開閉弁によって洗浄液供給チューブの流路の開閉を行うことにより、必要なときに確実に洗浄液をロック機構へ供給して洗浄作業を行うことができる。
【図面の簡単な説明】
【図１】  本発明の実施の形態の洗浄機能付き管継手の構成及び構造を説明する管継手を構成するソケット及びプラグの断面図である。
【図２】  本発明の実施の形態の洗浄機能付き管継手の構成及び構造を説明する管継手を構成するソケットの先端部分における平断面図である。
【図３】  本発明の実施の形態の洗浄機能付き管継手の接続状態を説明する管継手を構成するソケット及びプラグの断面図である。
【図４】  本発明の実施の形態の洗浄機能付き管継手の他の例を説明する管継手を構成するソケットの断面図である。
【符号の説明】
２１  洗浄機能付き管継手
２２  ソケット
２３  プラグ
３５  係合溝
５１  凹部
５１ａ  壁部
５２  Ｏリング（シール部）
５３  スリーブ
５８  孔部
５９  施錠ボール
６４  洗浄水連通路（供給路）
６５  洗浄水環状路（供給路）
６６  空間部
７１  噴出孔
７２  洗浄水供給路（供給路）
７３、８１  開閉弁
７４  洗浄水供給チューブ
【図１】
0004625562.tif 000002
【図２】
0004625562.tif 000003
【図３】
0004625562.tif 000004
【図４】
0004625562.tif 000005